(57)【要約】【課題】  店舗端末のネットワーク接続が困難な環境や、ユーザの携帯端末の通信機能が使用できない環境などにおいても、電子クーポンの行使および履歴の取得を可能とした電子クーポンサービスシステムを提供する。【解決手段】  上位のサーバより取得した電子クーポン１００をユーザ端末１０により行使する際に、ユーザ端末１０および店舗端末３０がネットワークに接続されていないいわゆるオフライン状態にあっても、ユーザ端末１０がその後にネットワークに接続されたときに、この電子クーポン１００の行使履歴をサーバへ転送するよう構成する。【選択図】      図４
2008146512.tif 000002
【特許請求の範囲】
【請求項１】
電子クーポンを配信するサーバと、前記電子クーポンを取得するユーザ端末とを含む電子クーポンサービスシステムであって、
前記ユーザ端末は、
前記サーバから取得した前記電子クーポンの行使履歴を、その行使後における前記サーバへの接続時に、当該サーバに転送する転送手段を有することを特徴とするシステム。
【請求項２】
前記ユーザ端末は、前記電子クーポンの行使済みを示す前記行使履歴を記憶する手段を更に有し、前記転送手段は、前記記憶手段の前記行使履歴を転送することを特徴とする請求項１記載のシステム。
【請求項３】
前記ユーザ端末は、前記電子クーポンの行使時に、前記行使履歴を行使済みとする行使チェック手段を更に有し、前記記憶手段は、前記行使チェック手段による前記行使履歴を記憶することを特徴とする請求項２記載のシステム。
【請求項４】
前記ユーザ端末と近距離通信をなす手段と、前記電子クーポンの行使をチェックする手段とを有する店舗端末を更に含み、
前記店舗端末は、前記ユーザ端末の前記電子クーポンの行使時に、前記行使履歴を行使済みとし、前記記憶手段は、この行使履歴を記憶することを特徴とする請求項２記載のシステム。
【請求項５】
前記ユーザ端末と前記サーバとの間に設けられた電子クーポン配信端末を更に含み、
前記ユーザ端末は前記電子クーポンを前記電子クーポン配信端末を介して取得し、前記行使履歴を前記電子クーポン配信端末を介して転送することを特徴とする請求項１または２記載のシステム。
【請求項６】
前記ユーザ端末と前記電子クーポン配信端末とは近距離通信手段にて通信をなすことを特徴とする請求項５記載のシステム。
【請求項７】
前記ユーザ端末が取得する前記電子クーポンは、ユーザがクーポン仲介媒体により告知されかつ前記クーポン仲介媒体を識別する仲介者ＩＤを含むクーポンであり、
前記店舗端末は、前記電子クーポン行使時における決済金額データを記録し、
前記記憶手段は、前記行使履歴と共に、前記仲介者ＩＤと前記決済金額データとを記憶し、
前記転送手段は、前記行使履歴と共に、前記仲介者ＩＤと前記決済金額データとを転送することを特徴とする請求項４記載のシステム。
【請求項８】
前記サーバは、前記電子クーポンの行使および決済実績に応じて、前記店舗端末側に対して広告費を請求する手段を更に有することを特徴とする請求項７記載のシステム。
【請求項９】
前記サーバは、前記決済金額に応じた報奨金を、前記仲介者ＩＤに基いて、前記クーポン仲介媒体へ支払う手段を更に含むことを特徴とする請求項８記載のシステム。
【請求項１０】
電子クーポンを配信するサーバと、前記電子クーポンを取得するユーザ端末とを含む電子クーポンサービスシステムにおけるサービス方法であって、
前記ユーザ端末において、
前記サーバから取得した前記電子クーポンの行使履歴を、その行使後における前記サーバへの接続時に、当該サーバに転送する転送ステップを有することを特徴とする方法。
【請求項１１】
前記ユーザ端末において、前記電子クーポンの行使済みを示す前記行使履歴を記憶手段に記憶するステップを更に有し、前記転送ステップは、前記記憶手段の前記行使履歴を転送することを特徴とする請求項１０記載の方法。
【請求項１２】
前記ユーザ端末において、前記電子クーポンの行使時に、前記行使履歴を行使済みとする行使チェックステップを更に有し、前記記憶手段は、前記行使チェックステップにより行使済みとされた行使履歴を記憶することを特徴とする請求項１１記載の方法。
【請求項１３】
店舗端末と前記ユーザ端末との間で近距離通信を行って前記電子クーポンの行使をなすステップと、
前記店舗端末において、前記電子クーポンの行使をチェックするステップと、
前記店舗端末において、前記ユーザ端末の前記電子クーポンの行使時に、前記行使履歴を行使済みとするステップとを更に含み、
前記記憶手段に、この行使履歴を記憶することを特徴とする請求項１１記載の方法。
【請求項１４】
前記ユーザ端末において、前記ユーザ端末と前記サーバとの間に設けられた電子クーポン配信端末を介して取得するステップを更に含み、
前記ユーザ端末において、前記行使履歴を前記電子クーポン配信端末を介して転送することを特徴とする請求項１０たは１１記載の方法。
【請求項１５】
前記ユーザ端末と前記電子クーポン配信端末とは、近距離通信にて通信をなすことを特徴とする請求項１４記載の方法。
【請求項１６】
前記ユーザ端末が取得する前記電子クーポンは、ユーザがクーポン仲介媒体により告知されかつ前記クーポン仲介媒体を識別する仲介者ＩＤを含むクーポンであり、
前記店舗端末において、前記電子クーポン行使時における決済金額データを記録し、前記記憶手段に、前記行使履歴と共に、前記仲介者ＩＤと前記決済金額データとを記憶し、前記行使履歴と共に、前記仲介者ＩＤと前記決済金額データとを転送することを特徴とする請求項１３記載の方法。
【請求項１７】
前記サーバにおいて、前記電子クーポンの行使および決済実績に応じて、前記店舗端末側に対して広告費を請求するステップを更に含むことを特徴とする請求項１６記載の方法。
【請求項１８】
前記サーバにおいて、前記決済金額に応じた報奨金を、前記仲介者ＩＤに基いて、前記前記クーポン仲介媒体へ支払うステップを更に含むことを特徴とする請求項１７記載の方法。
【請求項１９】
電子クーポンサーバから配信された電子クーポンを取得するユーザ端末であって、
前記電子クーポンの行使履歴を、その行使後における前記電子クーポンサーバへの接続時に、当該サーバに転送する転送手段を含むことを特徴とするユーザ端末。
【請求項２０】
電子クーポンサーバから配信された電子クーポンを取得するユーザ端末の動作をコンピューにより実行させるためのプログラムであって、
前記電子クーポンの行使履歴を、その行使後における前記電子クーポンサーバへの接続時に、当該サーバに転送する転送処理を含むことを特徴とするプログラム。
【発明の詳細な説明】
【技術分野】
【０００１】
本発明は電子クーポンサービスシステム及びその方法並びにそれに用いるユーザ端末に関し、特に電子クーポンを配信するサーバとこの電子クーポンを取得するユーザ端末とを含む電子クーポンサービス方式に関するものである。
【背景技術】
【０００２】
消費者であるユーザが、店舗にて商品の購入や所定のサービスを享受する場合には、代金の支払時に、予め入手していたクーポン券を呈示したり引き渡りしたりして、予め定められている割引などを受けるクーポン券割引サービスが行われている。このようなクーポン券割引サービスは、全てのユーザを対象として、一律に割引を行う通常の割引サービスに比べて、クーポン券を媒体としてユーザの固定化が図れるという利点があるために、店舗側にとっても効用があって、広く利用されている。
【０００３】
かかるクーポン券割引サービスとして、最近は、紙媒体によるクーポン券と同等の効果を有するものとして、クーポン情報が電気的な情報とされた、いわゆる電子クーポンが使用され普及してきている。このような電子クーポンを使用した電子クーポンサービスシステムは、特許文献１〜３などに開示されている。これら、システムでは、携帯端末に通信機能が搭載されるなど高機能化が進んだことにより、ユーザは携帯端末に電子クーポンを取込んでおき、商品購入やサービス享受をなす場合に、実際の店舗における店舗端末との間でクーポン情報の授受を行うことにより、所定の割引を受けるようになっている。
【０００４】
【特許文献１】特開２００４−１７１１３６号公報
【特許文献２】特開２００５−０３７５６３号公報
【特許文献３】特開２００５−２２２４３５号公報
【発明の開示】
【発明が解決しようとする課題】
【０００５】
このような従来の電子クーポンサービスシステムでは、電子クーポンが行使されたか否かを示す使用履歴を取得するためには、店舗側において、ネットワークに接続できる環境の敷設などが必要であり多くのコストがかかるか、電子クーポンを行使する際にユーザの携帯端末が有する通信機能を必要とするため使用できる環境が限られるという問題がある。従って、店舗端末のネットワーク接続が困難な環境や、ユーザの携帯端末の通信機能が使用できない環境などでは、電子クーポンサービスシステムの柔軟な運用が困難であるという欠点がある。
【０００６】
本発明の目的は、店舗端末のネットワーク接続が困難な環境や、ユーザの携帯端末の通信機能が使用できない環境などにおいても、電子クーポンの行使および履歴の取得を可能とした電子クーポンサービスシステム及びその方法並びにそれに用いる端末を提供することである。
【課題を解決するための手段】
【０００７】
本発明による電子クーポンサービスシステムは、電子クーポンを配信するサーバと、前記電子クーポンを取得するユーザ端末とを含む電子クーポンサービスシステムであって、前記ユーザ端末は、前記サーバから取得した前記電子クーポンの行使履歴を、その行使後における前記サーバへの接続時に、当該サーバに転送する転送手段を有することを特徴とする。
【０００８】
本発明による電子クーポンサービス方法は、電子クーポンを配信するサーバと、前記電子クーポンを取得するユーザ端末とを含む電子クーポンサービスシステムにおけるサービス方法であって、前記ユーザ端末において、前記サーバから取得した前記電子クーポンの行使履歴を、その行使後における前記サーバへの接続時に、当該サーバに転送する転送ステップを有することを特徴とする。
【０００９】
本発明によるユーザ端末は、電子クーポンサーバから配信された電子クーポンを取得するユーザ端末であって、前記電子クーポンの行使履歴を、その行使後における前記電子クーポンサーバへの接続時に、当該サーバに転送する転送手段を含むことを特徴とする。
【００１０】
本発明によるプログラムは、電子クーポンサーバから配信された電子クーポンを取得するユーザ端末の動作をコンピューにより実行させるためのプログラムであって、前記電子クーポンの行使履歴を、その行使後における前記電子クーポンサーバへの接続時に、当該サーバに転送する転送処理を含むことを特徴とする。
【００１１】
本発明の作用を述べる。電子クーポンサーバより取得した電子クーポンをユーザ端末により行使する際に、ユーザ端末および店舗端末がネットワークに接続されていないいわゆるオフライン状態にあっても、ユーザ端末がその後にネットワークに接続されたときに、この電子クーポンの行使履歴をサーバへ転送するよう構成する。
【発明の効果】
【００１２】
本発明によれば、店舗端末のネットワーク接続が困難な環境や、ユーザの携帯端末の通信機能が使用できない環境などにおいても、電子クーポンの行使および履歴の取得が可能となるという効果がある。
【発明を実施するための最良の形態】
【００１３】
以下に本発明の実施例について図面を参照しつつ詳細に説明する。
＜第一の実施例＞
図１は本発明の第１の実施例のブロック図である。本発明の第１の実施例は、ユーザ端末１０と、電子クーポンサーバ（以下、単にクーポンサーバと称す）２０とから構成されており、両者は図示せぬネットワークにより接続されているものとする。ユーザ端末１０は、例えば、携帯電話機、ＰＨＳ（Personal Handyphone System）、ＰＤＡ（Personal Disital Assistant）、ノート型パーソナルコンピュータ（ＰＣ）、ポケットコンピュータなどである。
【００１４】
ユーザ端末１０は、ＬＡＮ（Local Area Network）、無線ＬＡＮ、BlueTooth （登録商標）、パケット通信や音声通信によるインターネット接続などの通信機能を有するネットワーク通信部１１と、パスワード入力などの一定の操作や外部認証装置との通信などによる、クーポンが行使されたことを確認するクーポン行使チェック部１２と、電子クーポンを取得・表示することができる液晶ディスプレイ、ＬＣＤ（Liquid Crystal Display）、ＬＥＤ（Light Emitting Diode）などの表示部１３と、ボタン、ボール、ホイル、スイッチ、タッチパネル、ポインティングデバイス、キーボードなどの項目選択部（操作部）１４と、後述する電子クーポン情報を格納する電子クーポン記憶部１５と、これら各部を制御する制御部１６とを有している。
【００１５】
電子クーポン情報は、自身がすでに行使されたか否かを明示する「行使済みフラグ」１５１を含む一以上のパラメータを有するものとする。このパラメータには、「電子クーポンの有効期間」、「行使可能な場所・店舗」、「発行元」、「紹介者」、「割引率」、「サービスの内容」などがあり、それらは「行使済みフラグ」１５１の機能を兼ねることもできる。
【００１６】
クーポンサーバ２０は、ユーザ端末１０のネットワーク通信部１１と同様の機能を有するネットワーク通信部２１と、電子クーポン情報が格納されているクーポンＤＢ（データベース）２２と、電子クーポンの行使履歴が格納されるクーポン行使履歴ＤＢ２３と、これら各部を制御する制御部２４とを有している。
【００１７】
次に、本発明の第１の実施例の動作について、図２のシーケンス図及び図３のフローチャートを参照して詳細に説明する。先ず、本発明の利用者であるユーザは、ユーザ端末１０のネットワーク通信部１１の通信機能を用いて、新規の電子クーポンを、クーポンサーバ２０のクーポンＤＢ２２からユーザ端末１０に取得する（ステップＳ１）。この電子クーポン情報は電子クーポン記憶部１５に格納される。
【００１８】
ユーザは、この取得したクーポンが行使可能な店舗などにおいて、電子クーポンを行使することになるが（ステップＳ２）、このとき、クーポンの行使と同時に、クーポン行使チェック部１２によって、ユーザ端末１０の電子クーポン記憶部１５に格納されている電子クーポン情報の行使済みフラグ１５１を「行使済み（フラグオン）」にする（ステップＳ３）。
【００１９】
そして、任意、若しくは何らかのタイミングにおいて、例えば、次に別の店舗のクーポンをクーポンサーバ２０に要求する際や、更新情報をチェックする際、若しくは一定のスケジュールに沿ったタイミングで、ユーザはユーザ端末１０からクーポンサーバ２０にアクセスすることになる（ステップＳ４）。
【００２０】
このアクセスの際に、クーポン行使チェック部１２において、電子クーポン記憶部１５内における行使済みフラグ１５１がチェックされ、フラグオンすなわち行使済みのクーポン情報があれば、当該行使済みクーポン情報がクーポンサーバ２０の利用履歴ＤＢ２３に転送されることになる（ステップＳ５）。その後、本来の要求の処理、例えば新規のクーポンの取得などの処理が行われるのである（ステップＳ６）。
【００２１】
具体的には、図３のフローチャートに示すように、クーポンサーバ２０にアクセスしようとする際、例えば新規のクーポンを取得しようとするとき、先ず、行使済みのクーポンがあるか、ユーザ端末１０の電子クーポン記憶部１５内の電子クーポンの行使済みフラグ１５１がチェックされる（ステップＡ０１）。行使済みのクーポンがあった場合には、行使済みクーポン情報がクーポンサーバ２０のクーポン行使履歴ＤＢ２３に転送される（ステップＡ０２）。
【００２２】
この動作は、行使済みのクーポンが複数ある場合などには、一回以上の複数回繰り返されても良い。転送されたクーポンは、必要に応じてユーザ端末１０の電子クーポン記憶部１５から削除されるか、図示外の別の領域に移動されるか、または再度使用可能になる、あるいは何らかの適切な処理が行われる。
【００２３】
次に、クーポンＤＢ２２に入手できる新規クーポンがあるかがチェックされる（ステップＡ１０）。取得できるクーポンがある場合は、ユーザはユーザ端末１０の表示部１３および項目選択部１４を用いて、入手したいクーポンを選択し（ステップＡ１１）、新規のクーポンを入手する。新規に入手できるクーポンがない場合には、処理終了となる。
【００２４】
本発明の第１の実施例では、電子クーポンの行使履歴は、新規のクーポンを取得する際にまとめてクーポンサーバ２０に転送されるため、電子クーポンの行使時にユーザ端末１０がネットワークに接続されていなくても、クーポン行使および履歴の取得が可能となる。
【００２５】
なお、図４は上述した本発明の動作の原理を示すための図であり、（ａ）は、ある電子クーポン１００をユーザ端末１０にて取得し、これが表示部１３に表示されている状態を示している。（ｂ）は、ユーザがユーザ端末１０を用いて、実際の店舗に設置されている店舗端末３０と近距離通信を行って、クーポンの行使を行っている状態を示している。（ｃ）は、ユーザが新たな電子クーポン２００をクーポンサーバ２０から取込んだ場合に、（ｂ）において既に行使した電子クーポン１００が、使用済みであることを示すフラグオンと共に、クーポンサーバ２０へ転送される状態を示している。
【００２６】
かかる構成及び動作により、電子クーポンの行使時にユーザ端末がネットワークに接続されていなくても、クーポン行使および履歴の取得ができるという効果が得られる。その理由は、次にユーザ端末がクーポンサーバと通信する際に、電子クーポンの行使履歴が行使履歴ＤＢに転送されるためである。
【００２７】
＜第２の実施例＞
次に、本発明の第２の実施例について説明する。図５は本発明の第２の実施例のブロック図であり、図１と同等部分は同一符号により示している。本実施例は、ユーザ端末１０と、クーポンサーバ２０と、店舗端末３０とから構成されている。ユーザ端末１０は、図１のクーポン行使チェック部１２が省かれている代わりに、ＲＦＩＤタグなどの非接触通信や、赤外線通信、音声通信、接触通信などを含む近距離通信部１７を有している。
【００２８】
クーポンサーバ２０は図１のそれと同一構成である。店舗端末３０は、店舗を識別するための店舗ＩＤを記憶する店舗ＩＤ記憶部３１と、前述の近距離通信部１７と同様の近距離通信機能を有するリーダ／ライタ３２と、これに各部を制御する制御部３３とを有している。
【００２９】
図６は本発明の第２の実施例の動作を説明するためのシーケンス図である。先ず、ユーザは、新規の電子クーポンをクーポンサーバ２０のクーポンＤＢ２２からユーザ端末１０に取得する（ステップＳ１）。ユーザは、ユーザ端末１０の近距離通信部１７と店舗端末３０のリーダ／ライタ３１とを経由して、電子クーポンの行使をなす（ステップＳ２）。クーポンが行使されるにあわせて、店舗端末３０のリーダ／ライタ３１がユーザ端末１０の電子クーポン記憶部１５内の電子クーポンの行使済みフラグ１５１を行使済み（オン）に変更する（ステップＳ３）。
【００３０】
その後、任意、若しくは何らかのタイミング、例えば次に別の店舗のクーポンをクーポンサーバ２０に要求する際や、更新情報をチェックする際、または一定のスケジュールに沿ったタイミングで、ユーザはユーザ端末１０のネットワーク通信部１１を介してクーポンサーバ２０にアクセスしようとする（ステップＳ４）。このアクセスに際して、行使済みのクーポンが、電子クーポン記憶部１５内にあれば、この行使済みクーポンの情報がクーポンサーバ２０の利用履歴ＤＢ２３に転送される（ステップＳ５）。その後、本来の要求の処理、例えば新規のクーポンの取得などの処理が行われる（ステップＳ６）。
【００３１】
かかる構成及び動作により、先の第１の実施例と同様に、電子クーポンの行使時に、ユーザ端末がネットワークに接続されていなくても、クーポン行使および履歴の取得ができるとう効果が得られる。その理由は、次にユーザ端末がクーポンサーバと通信する際に、電子クーポンの行使履歴が行使履歴データベースに転送されるためである。また、電子クーポンが行使される際、店舗側の操作者が、直接ユーザ端末を操作する必要がなくなるという効果もある。その理由は、店舗端末とユーザ端末の間で近距離通信機能を用いて電子クーポンが行使され、行使済みのチェックがなされるためである。
【００３２】
＜第３の実施例＞
次に、本発明の第３の実施例について説明する。図７は本発明の第３の実施例のブロック図であり、図５と同等部分は同一符号により示している。本実施例は、ユーザ端末１０と、クーポンサーバ２０と、店舗端末３０と、クーポン配信端末４０とから構成されている。ユーザ端末１０は、図５におけるネットワーク通信部１１、表示部１３、項目選択部１４が省かれており、その他は図５のユーザ端末１０と同等構成である。
【００３３】
クーポンサーバ２０は図５のそれと同等であり、店舗端末３０も図５のそれと同等である。本例では、図５の構成に、クーポン配信端末４０が追加されており、このクーポン配信端末４０は、クーポンサーバ２０のネットワーク通信部２１と同等機能を有するネットワーク通信部４１と、ユーザ端末１０の近距離通信部１７と同等機能を有する近距離通信部４２と、これら各部を制御する制御部４３とを有している。
【００３４】
本発明の第３の実施例の動作について図８を参照しつつ説明する。先ず、ユーザは、新規の電子クーポンをクーポン配信端末４０に対して要求する。クーポン配信端末４０は、事前に、ネットワーク通信部４１を介してクーポンサーバ２０から電子クーポン情報を取込み、図示外のメモリに保持しておくか、利用者の要求に応じて、クーポンサーバ２０から取得する。その後クーポン配信端末４０は、近距離通信部４２および１７を通じて、ユーザ端末１０に電子クーポンの情報を転送する（ステップＳ１）。
【００３５】
ユーザは、ユーザ端末１０の近距離通信部１７により店舗端末３０のリーダ／ライタ３１との近距離通信を行って、店舗などで電子クーポンの行使をなす（ステップＳ２）。店舗端末３０はリーダ／ライタ３１を通して、ユーザ端末１０の電子クーポンの行使済みフラグ１５１を「行使済み（フラグオフ）」にする（ステップＳ３）。
【００３６】
その後の任意もしくは何らかのタイミングで、例えば、新たな電子クーポンをクーポン配信端末４０に要求するなどのタイミングで、ユーザはユーザ端末１０とクーポン配信端末４０との通信（アクセス）を行う（ステップＳ４）。このアクセスに際して、行使済みのクーポンがあれば、行使済みクーポンの情報がクーポン配信端末４０を経由してクーポンサーバ３０に転送される（ステップＳ５）。その後、必要に応じて新規クーポンの配信などの処理が行われる（ステップＳ６）。
【００３７】
本実施例では、電子クーポンの行使履歴は、新規のクーポンを取得する際に、まとめてクーポンサーバ２０に転送されるために、電子クーポンの行使時に、ユーザ端末１０及び店舗端末３０共に、ネットワークに接続されていなくても、例えば店舗端末３０にネットワーク接続機能が装備されておらず、ユーザ端末１０のネットワーク通信機能が使用できない条件下においても、クーポン行使および履歴の取得が可能となる。
【００３８】
これにより、第１の実施例と同様に、電子クーポンの行使時に、ユーザ端末１０がネットワークに接続されていなくても、クーポン行使および履歴の取得が可能となる。また、第２の実施例と同様に、店舗端末３０とユーザ端末１０との間で、近距離通信機能を用いて電子クーポンが行使されるため、電子クーポンを行使される側は、行使される際に、第１の実施例におけるユーザ端末１０のクーポン行使チェック部１２の機能など、直接ユーザ端末１０を操作する必要がなくなる。
【００３９】
また、ユーザは、クーポン配信端末４０とユーザ端末１０との近距離通信機能を用いることにより、クーポンの取得および履歴の転送を行うことができるので、ユーザ端末１０にネットワーク通信機能や表示機能、項目選択機能が必要なくなり、ＩＣカードなどの媒体をユーザ端末１０として利用することができるようになる。
【００４０】
かかる構成及び動作により、第１の実施例と同様に、電子クーポンの行使時にユーザ端末がネットワークに接続されていなくても、クーポン行使および履歴の取得ができる。その理由は、次にユーザ端末がクーポンサーバと通信する際に、電子クーポンの行使履歴が行使履歴データベースに転送されるためである。
【００４１】
また、第２の実施例の同様に、電子クーポンを行使する際、店舗側の操作者が、直接ユーザ端末を操作する必要がなくなる。その理由は、店舗端末とユーザ端末の間で近距離通信機能を用いて電子クーポンが行使され、行使済みのチェックがなされるためである。
【００４２】
更に、電子クーポンの行使時に、店舗などの端末がネットワークに接続されていない状況において、ネットワーク通信機能や表示機能、項目選択機能の搭載されていないユーザ端末を用いた際にも、電子クーポンの行使および履歴取得ができる。その理由は、電子クーポンの行使履歴が、次にユーザ端末がクーポン配信端末と通信を行う際に、クーポン配信端末を通じてクーポンサーバの行使履歴データベースに転送されるためである。
【００４３】
＜第４の実施例＞
以下に、本発明の第４の実施例について説明する。図９は本発明の第４の実施例の機能ブロック図であり、図５と同等部分は同一符号により示している。本発明の第４の実施例は、ユーザ端末１０と、クーポンサーバ２０と、店舗端末３０と、クーポン仲介媒体５０とから構成されている。ユーザ端末１０は図５のそれと同等であるが、この場合における電子クーポン情報には、行使済みフラグ１５１の他に、仲介者ＩＤ１５２、決済金額データ１５３などを含んでいるものとする。また、店舗端末３０も図５のそれと同等である。クーポンサーバ２０は、図５の構成に、更に仲介者ＤＢ２５を有している。
【００４４】
クーポン仲介媒体５０は、仲介者を識別するための仲介者ＩＤが付与されており、クーポンサーバ２０が有する電子クーポン情報および自身の仲介者ＩＤを告知する機能を有しているものとする。このクーポン仲介媒体５０の例としては、ＷＥＢサイトや、放送、印刷物などである。
【００４５】
次に、本発明の第４の実施例の動作について詳細に説明する。図１０は本実施例の動作を示すシーケンス図である。先ず、クーポン仲介媒体５０は、その仲介者ＩＤ告知機能を通して、クーポンサーバ２０の持つ電子クーポンおよび自身の仲介者ＩＤを告知する（ステップＳ１０１）。ユーザはユーザ端末１０を用いて、ネットワーク通信部１１および２１を介してクーポンサーバ２０に、クーポン仲介媒体５０により告知された電子クーポンを要求する（ステップＳ１０２）。これに対して、クーポンサーバ２０は、ネットワーク通信部２１および１１を介して、ユーザ端末１０に電子クーポンを配信する（ステップ１０３）。ユーザ端末１０に取得された電子クーポンは、告知された仲介者ＩＤ１５２をパラメータとして有することになる。
【００４６】
ユーザは、ユーザ端末１０の近距離通信部１１と店舗端末３０のリーダ／ライタ３１とを経由して、電子クーポンを行使する（ステップＳ１０４）。このクーポンの行使にあわせて、店舗端末３０のリーダ／ライタ３１がユーザ端末１０内の電子クーポンの行使済みフラグ１５１を行使済みに変更する。同時に、リーダ／ライタ３１は、クーポン行使時の決済金額を決済金額データ１５３に記録する（ステップＳ１０５）。
【００４７】
その後、任意もしくは何らかのタイミングで、例えば次に別の店舗のクーポンをクーポンサーバ２０に要求する際や、更新情報をチェックする際、もしくは一定のスケジュールに沿ったタイミングで、ユーザはユーザ端末１０からクーポンサーバ２０にアクセスしようとする（ステップＳ１０６）。このアクセス（要求）の際に、行使済みのクーポンがあれば、行使済みクーポンの情報がクーポンサーバ２０のクーポン行使履歴ＤＢ２３に転送される（ステップＳ１０７）。その後、本来の要求の処理、例えば新規のクーポンの取得などの処理が行われる（ステップＳ１０８）。
【００４８】
そして、クーポンサーバ２０のクーポン行使履歴ＤＢ２３を元に、ユーザのクーポン行使実績に応じた広告費の支払いが、店舗側とクーポン配信側との間でなされ（ステップＳ１０９，Ｓ１１０）、一定のルールに従ってクーポン仲介側に報奨金が支払われることになる（ステップＳ１１１）。これにより、電子クーポンの紹介、配布、行使、履歴取得、報奨金支払いといった一環の仕組みが、店舗側にネットワーク環境がない場合においてでも実現可能となる。なお、ステップＳ１０９〜Ｓ１１１における金額の各決済処理は管理者間で行われるものであるが、サーバや端末などのコンピュータを用いて決済処理を行うようにすることができることは明らかである。
【００４９】
上記構成および動作により、電子クーポンの紹介、配布、行使、履歴取得、報奨金支払いといった一環の仕組みが、店舗側にネットワーク環境がない場合においてでも実現が可能となる。その理由は、紹介者ＩＤが付与された電子クーポンの行使履歴が、クーポン行使時に店舗側にネットワーク環境がなくとも、ユーザ端末が、次にクーポンサーバと通信する際に、行使履歴データベースに転送され、その行使履歴を元に広告費のやり取りおよびクーポン仲介者への報奨金の支払いが行われるためである。
【００５０】
本発明は、ユーザの携帯端末向けのクーポン配信システムを介した広告効果測定システムや、非接触通信機能とプロセッサを内蔵した非接触ＩＣカードを用いた電子クーポンシステムを用いる、小売業、サービス業、ネットワークサービス業といった分野に応用できる。また、クーポン配信に伴う広告代行手数料（アフィリエイトフィー）支払いシステムといった用途にも適用できる。
【００５１】
上述した各実施例における動作は、その動作手順を予めプログラムとしてＲＯＭなどの記録媒体に格納しておき、これをコンピュータ（ＣＰＵ：制御部）に読み取らせて実行させるように構成できることは勿論である。
【図面の簡単な説明】
【００５２】
【図１】本発明の第１の実施例のブロック図である。
【図２】本発明の第１の実施例の動作を示すシーケンス図である。
【図３】本発明の第１の実施例の動作の一部を示すフローチャートである。
【図４】本発明の動作原理を表した図である。
【図５】本発明の第２の実施例のブロック図である。
【図６】本発明の第２の実施例の動作を示すシーケンス図である。
【図７】本発明の第３の実施例のブロック図である。
【図８】本発明の第３の実施例の動作を示すシーケンス図である。
【図９】本発明の第４の実施例のブロック図である。
【図１０】本発明の第４の実施例の動作を示すシーケンス図である。
【符号の説明】
【００５３】
１０  ユーザ端末
１１，２１，４１  ネットワーク通信部
１２  クーポン行使チェック部
１３  表示部
１４  項目選択部
１５  電子クーポン記憶部
１６，２４，３３，４３  制御部
１７，４２  近距離通信部
２０  クーポンサーバ
２２  クーポンＤＢ
２３  クーポン行使履歴ＤＢ
２５  仲介者ＤＢ
３０  店舗端末
３１  リーダ／ライタ
３２  店舗ＩＤ記憶部
４０  クーポン配信端末
５０  クーポン仲介媒体
１５１  行使済みフラグ
１５２  仲介者ＩＤ
１５３  決済金額データ
【図１】
2008146512.tif 000003
【図２】
2008146512.tif 000004
【図３】
2008146512.tif 000005
【図４】
2008146512.tif 000006
【図５】
2008146512.tif 000007
【図６】
2008146512.tif 000008
【図７】
2008146512.tif 000009
【図８】
2008146512.tif 000010
【図９】
2008146512.tif 000011
【図１０】
2008146512.tif 000012